(57)【要約】  【課題】  遊技球が特定領域を通過した場合の特別利益状態の継続回数に変化を持たせることで真に興趣を増大することができ、更に個体差による機体間のバラツキ等を解消して遊技者の得られる利益を一定に保持できる弾球遊技機を提供する。  【解決手段】  特定入球手段１４に入球した遊技球が１又は複数の特定領域の何れかを通過することに基づいてその特定領域に対応する継続回数だけ特別利益状態を発生させる特別利益状態発生手段４４を備えた弾球遊技機で、所定の始動条件の成立に基づいて特定領域に対応する継続回数を選択する継続回数選択手段４３と、この継続回数選択手段４３で選択された特定領域毎の継続回数を少なくとも遊技球が特定領域を通過する前に報知する継続回数報知手段２５とを備えたものである。【選択図】  図４
2006239125.tif 000002
【特許請求の範囲】
【請求項１】
特定入球口（２２）を有する特定入球手段（１４）と、所定の始動条件の成立に基づいて前記特定入球口（２２）を開放する開閉手段（２３）と、前記特定入球口（２２）から前記特定入球手段（１４）に入球した遊技球が前記特定入球手段（１４）内に設けられた１又は複数の特定領域（２８ａ）（２８ｂ）の何れかを通過することに基づいてその特定領域（２８ａ）（２８ｂ）に対応する継続回数だけ特別利益状態を発生させる特別利益状態発生手段（４４）とを備えた弾球遊技機において、前記所定の始動条件の成立に基づいて前記特定領域（２８ａ）（２８ｂ）に対応する前記継続回数を選択する継続回数選択手段（４３）と、該継続回数選択手段（４３）で選択された前記特定領域（２８ａ）（２８ｂ）毎の継続回数又はこれを示す情報を少なくとも遊技球が前記特定領域（２８ａ）（２８ｂ）を通過する前に報知する継続回数報知手段（２５）とを備えたことを特徴とする弾球遊技機。
【請求項２】
前記特別利益状態の発生状況に関連する所定の統計データを蓄積するデータ蓄積手段（４６）と、該データ蓄積手段（４６）により蓄積された統計データに基づいて前記継続回数選択手段（４３）による継続回数の選択率を変更する選択率変更手段（４７）とを備えたことを特徴とする請求項１に記載の弾球遊技機。
【請求項３】
前記特定入球手段（１４）に入球した遊技球を前記１又は複数の特定領域（２８ａ）（２８ｂ）とそれ以外の普通領域（２７）との何れかに振り分ける振り分け手段（６１）と、前記特別利益状態の発生状況に関連する所定の統計データを蓄積するデータ蓄積手段（４６）と、該データ蓄積手段（４６）により蓄積された統計データに基づいて前記振り分け手段（６１）による振り分け率を変更する振り分け率変更手段（６２）とを備えたことを特徴とする請求項１に記載の弾球遊技機。
【請求項４】
前記データ蓄積手段（４６）により蓄積する前記統計データが、前記特定入球手段（１４）に入球した遊技球の前記特定領域（２８ａ）（２８ｂ）の通過率を含むことを特徴とする請求項２又は３に記載の弾球遊技機。
【請求項５】
所定の始動手段（１３）による遊技球の検出を前記始動条件とし、前記データ蓄積手段（４６）により蓄積する前記統計データが、前記始動手段（１３）による遊技球の検出率を含むことを特徴とする請求項２〜４の何れかに記載の弾球遊技機。
【請求項６】
前記データ蓄積手段（４６）により蓄積する前記統計データが、前記特別利益状態の発生毎の前記継続回数に関するデータを含むことを特徴とする請求項２〜５の何れかに記載の弾球遊技機。
【請求項７】
前記データ蓄積手段（４６）により蓄積する前記統計データが、複数の前記特定領域（２８ａ）（２８ｂ）間の振り分けを含むことを特徴とする請求項２〜６の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機には、例えば、内部に１又は複数の特定領域を有する特定入球手段を遊技領域内に配置し、所定の始動手段が遊技球を検出することに基づいて、その特定入球手段の特定入球口を開放すると共に、開放された特定入球口に入球した遊技球が特定領域を通過することに基づいて、例えば特定入球口を所定時間開放する等の特別利益状態を、その特定領域に対応する継続回数だけ連続的に発生させるようにしたものが知られている。
【０００３】
この種の弾球遊技機では、遊技球が特定領域を通過したときの特別利益状態の継続回数については、例えば特定領域毎に予め定められているものや、遊技球が特定領域を通過することに基づいて乱数抽選等により決定されるようになっているものがある（例えば特許文献１参照）。
【特許文献１】特開２０００−３１７０６２号公報
【発明の開示】
【発明が解決しようとする課題】
【０００４】
上記のような従来の弾球遊技機のうち、例えば継続回数が特定領域毎に予め定められている場合には、遊技に変化が乏しく、興趣を十分に喚起し得ない欠点があった。
【０００５】
また、遊技球が特定領域を通過することに基づいて継続回数を乱数抽選等により決定する場合には、継続回数が固定されている場合と比べると結果的には遊技に変化を持たせられるものの、特定領域毎の継続回数は遊技球が特定領域を通過するまでは遊技者にはわからないため、必ずしも興趣を十分に喚起できるとはいえない。
【０００６】
更に、特定領域が複数設けられている場合には、特定領域毎の継続回数が予め定められていると、個体差により各特定領域の入球率に差が生じ、継続回数が機種毎に大きく異なってしまう恐れがある。また、上記特許文献１に記載の発明のように、特定領域毎の継続回数を乱数抽選により決定する場合であっても、その乱数抽選選択率が一定である限り同様の問題がある。
【０００７】
また、特定領域が１つしか設けられていない場合であっても、個体差により特定領域の通過率に差が生じ、遊技者の得られる利益が機体毎に大きく異なってしまう場合がある。
【０００８】
本発明は、このような従来の問題点に鑑み、遊技球が特定領域を通過した場合の特別利益状態の継続回数に変化を持たせることで真に興趣を増大することができ、更に個体差による機体間のバラツキ等を解消して遊技者の得られる利益を一定に保持できる弾球遊技機を提供することを目的とする。
【課題を解決するための手段】
【０００９】
本発明は、特定入球口２２を有する特定入球手段１４と、所定の始動条件の成立に基づいて前記特定入球口２２を開放する開閉手段２３と、前記特定入球口２２から前記特定入球手段１４に入球した遊技球が前記特定入球手段１４内に設けられた１又は複数の特定領域２８ａ，２８ｂの何れかを通過することに基づいてその特定領域２８ａ，２８ｂに対応する継続回数だけ特別利益状態を発生させる特別利益状態発生手段４４とを備えた弾球遊技機において、前記所定の始動条件の成立に基づいて前記特定領域２８ａ，２８ｂに対応する前記継続回数を選択する継続回数選択手段４３と、該継続回数選択手段４３で選択された前記特定領域２８ａ，２８ｂ毎の継続回数又はこれを示す情報を少なくとも遊技球が前記特定領域２８ａ，２８ｂを通過する前に報知する継続回数報知手段２５とを備えたものである。
【発明の効果】
【００１０】
本発明によれば、遊技球が特定領域２８ａ，２８ｂを通過した場合の特別利益状態の継続回数に変化を持たせることができ且つその継続回数が予め遊技者に報知されることにより真に興趣を増大することができる。
【発明を実施するための最良の形態】
【００１１】
以下、本発明の各実施形態を図面に基づいて詳述する。図１〜図５は本発明をパチンコ機に採用した第１の実施形態を例示している。図１において、１は遊技機本体で、矩形枠状の外枠２と、この外枠２に開閉自在に枢着された前枠３とを備えている。前枠３には、その窓孔に対応して遊技盤４が裏側から着脱自在に装着され、この遊技盤４の前側に、前枠３に開閉自在に枢着されたガラス扉５と前面板６とが開閉自在に配置されている。前面板６には、発射用の遊技球を貯留する上皿７が装着されている。また前枠３の下部には、余剰球を貯留する下皿８と、発射手段９の発射ハンドル１０とが夫々設けられている。
【００１２】
遊技盤４には、図２に示すように、発射手段９から発射された遊技球を案内するガイドレール１１が環状に装着されると共に、そのガイドレール１１の内側の遊技領域１２に、始動手段１３、特定入球手段１４、大入賞手段１５、普通入賞手段１６、ランプ１７等の各種遊技部品が配置されている。
【００１３】
特定入球手段１４は、遊技盤４の前側に着脱自在に装着された入球ケース２１と、遊技盤４の前側で入球ケース２１の上側に向けて開口する特定入球口２２と、この特定入球口２２を遊技球が入球可能な開状態と入球不可能な閉状態とに切り換え可能な開閉手段２３と、入球ケース２１内に設けられ且つ特定入球口２２に入球した遊技球を遊技盤４の裏側に排出するための排出通路２４と、継続回数表示手段（継続回数報知手段）２５と、特定入球口２２を遊技球が通過したことを検出する入球検出スイッチ２６とが設けられている。
【００１４】
開閉手段２３は、例えば前後方向の軸廻りに揺動可能な左右一対の開閉爪２３ａを備え、作動ゲート等よりなる始動手段１３が遊技球を検出すること（所定の始動条件の成立の一例）に基づいて開閉爪２３ａを外向きに揺動させて特定入球口２２を開放し、特定入球口２２に所定個数、例えば１個の遊技球が入球する等の所定条件が成立したときに開閉爪２３ａを内向きに揺動させて特定入球口２２を閉鎖するようになっている。以下、開閉手段２３による特定入球口２２の開閉を、単に特定入球口２２の開閉という。なお、始動手段１３は遊技球が入球可能な入球手段により構成してもよい。
【００１５】
排出通路２４は、１又は複数の普通通路（普通領域）２７と、同じく１又は複数の特定通路（特定領域）２８とで構成されており、開閉手段２３が開状態のときに特定入球口２２に入球した遊技球は、それら普通通路２７と特定通路２８との何れかを通過して遊技盤４の裏側へと案内されると共に、遊技球が特定通路２８を通過した場合には、その特定通路２８に対応する継続回数だけ後述する特別利益状態が発生するようになっている。なお、本実施形態では、第１，第２の２つの特定通路（特定領域）２８ａ，２８ｂが設けられているものとする。
【００１６】
また、普通通路２７及び各特定通路２８ａ，２８ｂには、夫々遊技球の通過を検出する普通排出検出スイッチ２９、特定排出検出スイッチ３０ａ，３０ｂが設けられている。
【００１７】
継続回数表示手段２５は、特定通路２８に対応する継続回数を表示するためのもので、各特定通路２８ａ，２８ｂに対応する継続回数表示部２５ａ，２５ｂが例えば入球ケース２１の前側等に配置されており、例えば始動手段１３が遊技球を検出することに基づいて継続回数表示部２５ａ，２５ｂにより夫々継続回数を表す数字図柄の変動表示を開始し、少なくとも遊技球が前記特定領域を通過する前の所定のタイミング、例えば開閉手段２３の開放動作と略同時に、所定の継続回数に対応する数字図柄を表示した状態で変動を停止するようになっている。
【００１８】
なお、継続回数表示手段２５で変動表示する図柄は継続回数を示すものであればよく、継続回数を直接示す数字図柄等の他、継続回数と一対一で対応するキャラクタ図柄等、継続回数を間接的に示すものでもよい。また、継続回数表示手段２５は、表示する図柄の種類等に応じて、７セグメント式、液晶式等の任意の表示手段を用いることができる。
【００１９】
大入賞手段１５は、例えば下部側の横軸心廻りに開閉する横長矩形状の開閉板１５ａを備えた可変作動式であって、特定入球手段１４に入球した遊技球が第１，第２特定通路２８ａ，２８ｂの何れかを通過することに基づいて特別利益状態が発生したときに、１回の特別利益状態につき開閉板１５ａが前側に所定時間開放して、その上に落下した遊技球を内部へと入賞させるようになっている。なお、大入賞手段１５は、開閉可能な一対の開閉爪を備えた電動チューリップ等により構成してもよい。
【００２０】
図４は制御用のブロック図である。図４において、３１は主制御基板であり、この主制御基板３１は、遊技領域１２側に装着された特定入球手段１４、その他の複数個の遊技部品を裏側から一括して覆う裏カバーの裏側等、前枠３及び遊技盤４を含む遊技機本体１の裏側の適宜箇所に着脱自在に装着された基板ケースに収納されている。３２は演出制御基板で、この演出制御基板３２についても、前枠３及び遊技盤４を含む遊技機本体１の裏側の適宜箇所に着脱自在に装着された基板ケースに収納されている。
【００２１】
主制御基板３１は、主に遊技盤４側の遊技動作等に関する制御を行うためのもので、ＣＰＵ、ＲＯＭ、ＲＡＭ等により構成された開閉制御手段４１、乱数カウンタ４２、継続回数選択手段４３、特別利益状態発生手段４４、制御コマンド送信手段４５等を備えている。
【００２２】
開閉制御手段４１は、特定入球口２２の開閉制御を行うもので、始動手段１３が遊技球を検出することを条件に開閉手段２３の開閉爪２３ａを外向きに揺動させて特定入球口２２を開放すると共に、その開放中の特定入球口２２に所定個数、例えば１個の遊技球が入球する等の所定条件が成立したときに開閉爪２３ａを内向きに揺動させて特定入球口２２を閉鎖するようになっている。なお、特定入球口２２への遊技球の入球個数は、入球検出スイッチ２６からの検出信号に基づいてカウントされる。
【００２３】
乱数カウンタ４２は、各特定通路２８ａ，２８ｂに対応する継続回数の選択に用いる継続回数選択用乱数を発生するもので、所定範囲、例えば０〜９の範囲で継続回数選択用乱数を繰り返し発生するようになっている。
【００２４】
継続回数選択手段４３は、始動手段１３が遊技球を検出すること（所定の始動条件の成立の一例）に基づいて特定通路２８ａ，２８ｂに対応する継続回数を選択するもので、始動手段１３が遊技球を検出したときに乱数カウンタ４２から継続回数選択用乱数の値を１つ取得して、その取得した継続回数選択用乱数値と予め記憶されている継続回数選択テーブルとに基づいて、特定通路２８ａ，２８ｂに対応する継続回数を選択するようになっている。
【００２５】
継続回数選択テーブルには、図５に示すように、例えば第１特定通路２８ａに対応する継続回数Ｎａと第２特定通路２８ｂに対応する継続回数Ｎｂとで構成される継続回数のセットが複数組、例えば２組設定されると共に、それら各継続回数セットに対して夫々継続回数選択用乱数値が割り当てられている。
【００２６】
本実施形態の継続回数選択テーブルでは、継続回数Ｎａが１回、継続回数Ｎｂが１５回に設定された第１セットと、継続回数Ｎａが１５回、継続回数Ｎｂが１回に設定された第２セットとが設定されており、それら各セットに対して夫々０〜４、５〜９の継続回数選択用乱数値が割り当てられている。これにより、一方の特定通路２８ａ又は２８ｂに対応する継続回数が１回であれば他方の特定通路２８ｂ又は２８ａに対応する継続回数は１５回となり、それらは同じ選択率で選択される。
【００２７】
特別利益状態発生手段４４は、特定入球口２２から特定入球手段１４に入球した遊技球が特定通路２８ａ，２８ｂの何れかを通過することに基づいて、その特定通路２８ａ，２８ｂに対応する継続回数Ｎａ，Ｎｂだけ特別利益状態を発生させるもので、特定通路２８ａ，２８ｂに設けられた特定排出検出スイッチ３０ａ，３０ｂの何れかが遊技球を検出したときに、その特定通路２８ａ又は２８ｂに対応して継続回数選択手段４３により選択された継続回数Ｎａ又はＮｂだけ、大入賞手段１５の開閉板１５ａを所定時間前側に開放するようになっている。
【００２８】
制御コマンド送信手段４５は、所定の制御コマンドを一方向通信により演出制御基板３２等の副制御基板側へと送信して制御指令を与えるためのもので、例えば、入球検出スイッチ２６が遊技球を検出して、継続回数選択手段４３が各特定通路２８ａ，２８ｂに対応する継続回数Ｎａ，Ｎｂを選択することに基づいて、その選択された継続回数Ｎａ，Ｎｂを指定する継続回数指定コマンドを演出制御基板３２側に送信する機能、遊技状態に応じて所定のランプ制御コマンド、音声制御コマンドを演出制御基板３２側に送信する機能等を備えている。
【００２９】
演出制御基板３２は、継続回数表示手段２５、ランプ１７、スピーカ５０等の各種演出手段の制御を行うためのもので、継続回数表示制御手段５１、ランプ制御手段５２、音声制御手段５３等を備えている。
【００３０】
継続回数表示制御手段５１は、継続回数表示手段２５の表示制御を行うもので、主制御基板３１側からの継続回数指定コマンドに基づいて、継続回数表示手段２５の継続回数表示部２５ａ，２５ｂ上に継続回数を表す数字図柄の変動表示を開始させ、少なくとも遊技球が特定領域を通過する前の所定のタイミング、例えば開閉手段２３の開放動作と略同時に、継続回数指定コマンドで指定された継続回数に対応する数字図柄を表示した状態で変動を停止させるようになっている。
【００３１】
ランプ制御手段５２は、ランプ１７等の発光制御を行うもので、主制御基板３１側からのランプ制御コマンドに基づいて、入賞手段への遊技球の入賞、継続回数表示手段２５による継続回数の変動表示、特別利益状態の発生等、各種遊技状態に応じて所定の発光パターンに従ってランプ１７等を発光させるようになっている。
【００３２】
音声制御手段５３は、スピーカ５０からの音声出力を制御するもので、主制御基板３１側からの音声制御コマンドに基づいて、入賞手段への遊技球の入賞、継続回数表示手段２５による継続回数の変動表示、特別利益状態の発生等、各種遊技状態に応じた効果音等をスピーカ５０から出力させるようになっている。
【００３３】
次に上記パチンコ機における遊技動作を具体的に説明する。ゲームに際して発射手段９により遊技球を発射すると、その遊技球はガイドレール１１を経て遊技領域１２に入った後、その遊技領域１２内を落下する間に普通入賞手段１６等に入賞するか、始動手段１３を通過しながら下方へと落下する。
【００３４】
遊技領域１２内を落下する遊技球が始動手段１３を通過すると、継続回数選択手段４３が乱数カウンタ４２から継続回数選択用乱数の値を１つ取得して、その取得した継続回数選択用乱数値と予め記憶されている継続回数選択テーブルとに基づいて、特定通路２８ａ，２８ｂに対応する継続回数Ｎａ，Ｎｂを選択すると共に、その選択された継続回数Ｎａ，Ｎｂに基づいて制御コマンド送信手段４５を介して演出制御基板３２側に継続回数指定コマンドを送信する。
【００３５】
例えば、取得した継続回数選択用乱数値が０〜４であれば、継続回数Ｎａ，Ｎｂとして夫々１回，１５回が選択され、継続回数選択用乱数値が５〜９であれば夫々１５回，１回が選択される。
【００３６】
また、開閉制御手段４１が開閉手段２３の開閉爪２３ａを外向きに揺動させて特定入球手段１４の特定入球口２２を開放する。
【００３７】
演出制御基板３２が主制御基板３１側から継続回数指定コマンドを受信すると、継続回数表示制御手段５１が、継続回数表示手段２５の継続回数表示部２５ａ，２５ｂ上に継続回数を表す数字図柄の変動表示を開始させ、例えば開閉手段２３の開放動作と略同時に、継続回数指定コマンドで指定された継続回数に対応する数字図柄を表示した状態で変動を停止させる。
【００３８】
例えば、継続回数Ｎａが１回、継続回数Ｎｂが１５回であれば、第１特定通路２８ａ側の継続回数表示部２５ａには数字図柄「１」が、第２特定通路２８ｂ側の継続回数表示部２５ｂには数字図柄「１５」が、夫々停止表示される。
【００３９】
開放中の特定入球口２２に遊技球が入球すると、その遊技球は入球検出スイッチ２６により検出された後、入球ケース２１内を落下し、普通通路２７，特定通路２８ａ，２８ｂの何れかを通過して遊技盤４の裏側に排出される。
【００４０】
なお、開閉制御手段４１は、入球検出スイッチ２６からの検出信号に基づいて特定入球口２２への遊技球の入球個数をカウントしており、開放中の特定入球口２２に所定個数、例えば１個の遊技球が入球する等の所定条件が成立したときに開閉爪２３ａを内向きに揺動させて特定入球口２２を閉鎖する。
【００４１】
遊技球が特定通路２８ａ，２８ｂの何れかを通過し、特定排出検出スイッチ３０ａ又は３０ｂがその遊技球の通過を検出すると、特別利益状態発生手段４４が作動して、その特定通路２８ａ又は２８ｂに対応して継続回数選択手段４３により選択された継続回数Ｎａ又はＮｂだけ、大入賞手段１５の開閉板１５ａを所定時間前側に開放する。
【００４２】
例えば、継続回数Ｎａ，Ｎｂとして夫々１回，１５回が選択されている場合には、第１特定通路２８ａ側の特定排出検出スイッチ３０ａが遊技球を検出したときには大入賞手段１５が１回だけ開放され、第２特定通路２８ｂ側の特定排出検出スイッチ３０ｂが遊技球を検出したときには大入賞手段１５が１５回連続的に開放される。
【００４３】
以上説明したように、本実施形態のパチンコ機では、始動手段１３が遊技球を検出することに基づいて特定通路２８ａ，２８ｂに対応する継続回数を選択する継続回数選択手段４３と、この継続回数選択手段４３で選択された特定通路２８ａ，２８ｂ毎の継続回数を少なくとも遊技球が特定領域２８ａ，２８ｂを通過する前に報知する継続回数報知手段２５とを備えているため、遊技球が特定通路２８ａ，２８ｂを通過した場合の特別利益状態の継続回数に変化を持たせることができ且つその継続回数が予め遊技者に報知されることにより真に興趣を増大することができる。
【００４４】
図６及び図７は本発明の第２の実施形態を例示し、特別利益状態の発生状況に関連する所定の統計データを蓄積して、その蓄積された統計データに基づいて継続回数選択手段４３による継続回数の選択率を変更するように構成した例を示している。
【００４５】
以下、本実施形態に係るパチンコ機の構成が第１の実施形態と異なる部分について説明する。本実施形態に係るパチンコ機では、図６に示すように、主制御基板３１に、データ蓄積手段４６、選択率変更手段４７が設けられている。
【００４６】
データ蓄積手段４６は、特別利益状態の発生状況に関連する統計データを蓄積するもので、特定領域通過率蓄積手段４６ａを備えている。特定領域通過率蓄積手段４６ａは、例えば普通排出検出スイッチ２９と特定排出検出スイッチ３０ａ，３０ｂからの検出信号に基づいて特定通路２８ａ，２８ｂの通過率（特定領域通過率）のデータ、例えば特定入球手段１４に入球した全個数に対する各特定通路２８ａ，２８ｂを通過した個数の割合を蓄積するようになっている。
【００４７】
選択率変更手段４７は、データ蓄積手段４６により蓄積された統計データに基づいて継続回数選択手段４３による継続回数の選択率を変更するものである。
【００４８】
ここで、本実施形態の継続回数選択手段４３には、複数種類、例えば図７に示す３種類の継続回数選択テーブルＡ１〜Ａ３が設定されているものとする。
【００４９】
継続回数選択テーブルＡ１は、図７（ａ）に示すように、第１の実施形態で用いられている継続回数選択テーブルと同じもので、継続回数Ｎａが１回、継続回数Ｎｂが１５回に設定された第１セットと、継続回数Ｎａが１５回、継続回数Ｎｂが１回に設定された第２セットとが同じ選択率となるように設定されている。なお、継続回数選択手段４３は通常状態ではこの継続回数選択テーブルＡ１を用いるものとする。
【００５０】
継続回数選択テーブルＡ２及びＡ３は、各セットの選択率は同じで各特定通路２８ａ，２８ｂに対応する継続回数の値が異なっており、継続回数選択テーブルＡ２（図７（ｂ））は各特定通路２８ａ，２８ｂに対応する継続回数のうち、小さい方の値が継続回数選択テーブルＡ１におけるそれよりも大きい５回に設定され、継続回数選択テーブルＡ３（図７（ｃ））は各特定通路２８ａ，２８ｂに対応する継続回数のうち、大きい方の値が継続回数選択テーブルＡ１におけるそれよりも小さい１０回に設定されている。
【００５１】
選択率変更手段４７は、データ蓄積手段４６に蓄積された特定領域通過率のデータに基づいて、その特定領域通過率が所定範囲を外れたときに、継続回数選択手段４３で用いている継続回数選択テーブルを通常の継続回数選択テーブルＡ１から継続回数選択テーブルＡ２又は継続回数選択テーブルＡ３に変更するようになっている。
【００５２】
例えば、特定領域通過率がＲ１ａを下回った場合に、各特定通路２８ａ，２８ｂに対応する継続回数のうち、小さい方の値が継続回数選択テーブルＡ１におけるそれよりも大きい値に設定されている継続回数選択テーブルＡ２に変更し、逆に特定領域通過率がＲ１ｂを上回った場合に、各特定通路２８ａ，２８ｂに対応する継続回数のうち、大きい方の値が継続回数選択テーブルＡ１におけるそれよりも小さい値に設定されている継続回数選択テーブルＡ３に変更するようになっている。
【００５３】
これにより、特定通路２８ａ，２８ｂの通過率が所定範囲よりも小さい場合には選択される継続回数の平均値が引き上げられ、逆に特定通路２８ａ，２８ｂの通過率が所定範囲よりも大きい場合には選択される継続回数の平均値が引き下げられるため、個々の機体間で特定領域通過率に差があっても、遊技者の得られる利益を全体として均一化できる。
【００５４】
以上のように、特別利益状態の発生状況に関連する統計データを蓄積するデータ蓄積手段４６と、このデータ蓄積手段４６により蓄積された統計データ、例えば特定領域通過率に基づいて継続回数選択手段４３による継続回数の選択率を変更する選択率変更手段４７とを備えた構成とすることにより、個体差による機体間のバラツキ等を解消して遊技者の得られる利益を一定に保持できる利点がある。
【００５５】
図８は本発明の第３の実施形態を例示し、第２の実施形態の構成を一部変更して、データ蓄積手段４６により蓄積する統計データを、始動手段１３による遊技球の検出率とした例を示している。
【００５６】
図８に示すように、本実施形態に係るパチンコ機では、データ蓄積手段４６に、始動手段検出率蓄積手段４６ｂが設けられている。始動手段検出率蓄積手段４６ｂは、例えば発射手段９による発射個数と始動手段１３による検出個数とに基づいて始動手段１３による遊技球の検出率（始動手段検出率）のデータ、例えば全発射個数に対する始動手段１３により検出された個数の割合を蓄積するようになっている。
【００５７】
また、継続回数選択手段４３には、複数種類、例えば第２の実施形態と同じ３種類の継続回数選択テーブルＡ１〜Ａ３（図７）が設定されているものとする。
【００５８】
選択率変更手段４７は、データ蓄積手段４６に蓄積された始動手段検出率のデータに基づいて、その始動手段検出率が所定範囲を外れたときに、継続回数選択手段４３で用いている継続回数選択テーブルを通常の継続回数選択テーブルＡ１から継続回数選択テーブルＡ２又は継続回数選択テーブルＡ３に変更するようになっている。例えば、始動手段検出率がＲ２ａを下回った場合に、各特定通路２８ａ，２８ｂに対応する継続回数のうち、小さい方の値が継続回数選択テーブルＡ１におけるそれよりも大きい値に設定されている継続回数選択テーブルＡ２に変更し、逆に始動手段検出率がＲ２ｂを上回った場合に、各特定通路２８ａ，２８ｂに対応する継続回数のうち、大きい方の値が継続回数選択テーブルＡ１におけるそれよりも小さい値に設定されている継続回数選択テーブルＡ３に変更するようになっている。
【００５９】
これにより、始動手段１３の検出率が所定範囲よりも小さい場合には選択される継続回数の平均値が引き上げられ、逆に始動手段１３の検出率が所定範囲よりも大きい場合には選択される継続回数の平均値が引き下げられるため、個々の機体間で始動手段検出率に差があっても、遊技者の得られる利益を全体として均一化できる。
【００６０】
以上のように、特別利益状態の発生状況に関連する統計データとして始動手段検出率を蓄積するデータ蓄積手段４６と、このデータ蓄積手段４６により蓄積された始動手段検出率に基づいて継続回数選択手段４３による継続回数の選択率を変更する選択率変更手段４７とを備えた構成とすることにより、個体差による機体間のバラツキ等を解消して遊技者の得られる利益を一定に保持できる利点がある。
【００６１】
図９は本発明の第４の実施形態を例示し、第２の実施形態の構成を一部変更して、データ蓄積手段４６により蓄積する統計データを、特別利益状態の発生毎の継続回数に関するデータとした例を示している。
【００６２】
図９に示すように、本実施形態に係るパチンコ機では、データ蓄積手段４６に、平均継続回数蓄積手段４６ｃが設けられている。平均継続回数蓄積手段４６ｃは、継続回数選択手段４３による継続回数の選択結果に基づいて、選択された継続回数の平均値（平均継続回数）のデータを蓄積するようになっている。
【００６３】
また、継続回数選択手段４３には、複数種類、例えば第２の実施形態と同じ３種類の継続回数選択テーブルＡ１〜Ａ３（図７）が設定されているものとする。
【００６４】
選択率変更手段４７は、データ蓄積手段４６に蓄積された平均継続回数のデータに基づいて、その平均継続回数が所定範囲を外れたときに、継続回数選択手段４３で用いている継続回数選択テーブルを通常の継続回数選択テーブルＡ１から継続回数選択テーブルＡ２又は継続回数選択テーブルＡ３に変更するようになっている。例えば、平均継続回数がＲ３ａを下回った場合に、各特定通路２８ａ，２８ｂに対応する継続回数のうち、小さい方の値が継続回数選択テーブルＡ１におけるそれよりも大きい値に設定されている継続回数選択テーブルＡ２に変更し、逆に始動手段検出率がＲ３ｂを上回った場合に、各特定通路２８ａ，２８ｂに対応する継続回数のうち、大きい方の値が継続回数選択テーブルＡ１におけるそれよりも小さい値に設定されている継続回数選択テーブルＡ３に変更するようになっている。
【００６５】
これにより、継続回数選択手段４３により選択される継続回数の平均値が所定範囲よりも小さい場合にはそれ以降に選択される継続回数の平均値が引き上げられ、逆に選択される継続回数の平均値が所定範囲よりも大きい場合にはそれ以降に選択される継続回数の平均値が引き下げられるため、個々の機体間で平均継続回数に差があっても、遊技者の得られる利益を全体として均一化できる。
【００６６】
以上のように、特別利益状態の発生状況に関連する統計データとして平均継続回数を蓄積するデータ蓄積手段４６と、このデータ蓄積手段４６により蓄積された平均継続回数に基づいて継続回数選択手段４３による継続回数の選択率を変更する選択率変更手段４７とを備えた構成とすることにより、個体差による機体間のバラツキ等を解消して遊技者の得られる利益を一定に保持できる利点がある。
【００６７】
なお、データ蓄積手段４６に蓄積する継続回数に関するデータとしては、継続回数選択テーブルの設定内容等に応じて、平均継続回数以外の例えば継続回数の中間値等を採用してもよい。
【００６８】
図１０及び図１１は本発明の第５の実施形態を例示し、第２の実施形態の構成を一部変更して、データ蓄積手段４６により蓄積する統計データを、複数の特定通路２８ａ，２８ｂの振り分け率とした例を示している。
【００６９】
図１０に示すように、本実施形態に係るパチンコ機では、データ蓄積手段４６に、特定領域振り分け率蓄積手段４６ｄが設けられている。特定領域振り分け率蓄積手段４６ｄは、例えば特定排出検出スイッチ３０ａ，３０ｂからの検出信号に基づいて特定通路２８ａ，２８ｂの振り分け率（特定領域振り分け率）のデータ、例えば特定通路２８ａ，２８ｂを通過した全個数に対する各特定通路２８ａ，２８ｂを通過した個数の割合を蓄積するようになっている。
【００７０】
本実施形態の継続回数選択手段４３には、複数種類、例えば図１１に示す３種類の継続回数選択テーブルＢ１〜Ｂ３が設定されているものとする。
【００７１】
継続回数選択テーブルＢ１は、図１１（ａ）に示すように、第１の実施形態で用いられている継続回数選択テーブルと同じもので、継続回数Ｎａが１回、継続回数Ｎｂが１５回に設定された第１セットと、継続回数Ｎａが１５回、継続回数Ｎｂが１回に設定された第２セットとが同じ選択率となるように設定されている。なお、継続回数選択手段４３は通常状態ではこの継続回数選択テーブルＢ１を用いるものとする。
【００７２】
継続回数選択テーブルＢ２及びＢ３は、各セットが異なる選択率となるように設定されており、継続回数選択テーブルＢ２（図１１（ｂ））は第２セットの選択率が第１セットの選択率よりも高く設定され、継続回数選択テーブルＢ３（図１１（ｃ））は逆に第１セットの選択率が第２セットの選択率よりも高く設定されている。
【００７３】
選択率変更手段４７は、データ蓄積手段４６に蓄積された特定領域振り分け率のデータに基づいて、その特定領域振り分け率が所定範囲を外れたときに、継続回数選択手段４３で用いている継続回数選択テーブルを通常の継続回数選択テーブルＢ１から継続回数選択テーブルＢ２又は継続回数選択テーブルＢ３に変更するようになっている。例えば、第１特定通路２８ａの通過率がＲ４ａ（例えばＲ４ａ＜０．５）を下回った場合に、第１特定通路２８ａ側の継続回数Ｎａの値が大きい第２セットの選択率が高く設定されている継続回数選択テーブルＢ２に変更し、逆に第１特定通路２８ａの通過率がＲ４ｂ（例えばＲ４ｂ＞０．５）を超えた場合に、第１特定通路２８ａ側の継続回数Ｎａの値が小さい第１セットの選択率が高く設定されている継続回数選択テーブルＢ３に変更するようになっている。
【００７４】
これにより、特定通路２８ａ，２８ｂを通過する遊技球が第１特定通路２８ａ側に偏っている場合には第２特定通路２８ｂ側の継続回数として大きい値が選択される確率が高くなり、逆に第２特定通路２８ｂ側に偏っている場合には第１特定通路２８ａ側の継続回数として大きい値が選択される確率が高くなるため、個々の機体間で複数の特定通路２８ａ，２８ｂの通過率が偏っている場合でも、遊技者が各特定通路２８ａ，２８ｂの通過によって夫々得られる利益を全体として均一化できる。
【００７５】
図１２〜図１４は本発明の第６の実施形態を例示し、特定入球手段１４に入球した遊技球を１又は複数の特定領域２８ａ，２８ｂとそれ以外の普通領域２７との何れかに振り分ける振り分け手段６１と、特別利益状態の発生状況に関連する統計データを蓄積するデータ蓄積手段４６と、このデータ蓄積手段４６により蓄積された統計データに基づいて振り分け手段６１による振り分け率を変更する振り分け率変更手段６２とを備えた例を示している。
【００７６】
本実施形態の特定入球手段１４には、図１２に示すように、入球ケース２１内に、特定入球口２２に入球した遊技球を１又は複数、例えば２つの特定通路２８ａ，２８ｂとそれ以外の普通通路２７との何れかに振り分ける振り分け手段６１が設けられている。
【００７７】
入球ケース２１内には、例えばその下部側の左右方向中央位置に普通通路２７が、その左右両側に特定通路２８ａ，２８ｂが夫々設けられている。また、振り分け手段６１は、普通通路２７及び特定通路２８ａ，２８ｂの上方の左右方向略中央位置に配置されており、例えば下端部側において前後方向の軸廻りに揺動可能に支持された上向きの振り分け爪６１ａと、この振り分け爪６１ａを左右方向に揺動駆動するステッピングモータ等の駆動手段（図示省略）とを備え、駆動手段により振り分け爪６１ａを左右方向に所定角度、例えば±６０度の範囲で揺動させることにより、特定入球口２２に入球した遊技球を左右方向に案内するようになっている。
【００７８】
また、演出制御基板３２には、図１３に示すように、振り分け制御手段６３、データ蓄積手段４６、振り分け率変更手段６２が設けられている。
【００７９】
振り分け制御手段６３は、振り分け手段６１の作動を制御するもので、振り分け手段６１の駆動手段を制御して、振り分け爪６１ａを予め定められた振り分け揺動パターンに従って左右方向に駆動させるようになっている。
【００８０】
データ蓄積手段４６は、特別利益状態の発生状況に関連する統計データを蓄積するもので、特定領域通過率蓄積手段４６ａを備えている。特定領域通過率蓄積手段４６ａは、例えば普通排出検出スイッチ２９と特定排出検出スイッチ３０ａ，３０ｂからの検出信号に基づいて特定通路２８ａ，２８ｂの通過率（特定領域通過率）のデータ、例えば特定入球手段１４に入球した全個数に対する各特定通路２８ａ，２８ｂを通過した個数の割合を蓄積するようになっている。
【００８１】
なお、例えば主制御基板３１から演出制御基板３２に対して普通排出検出スイッチ２９と特定排出検出スイッチ３０ａ，３０ｂからの検出信号に基づく排出検出スイッチ検出コマンドを送信し、特定領域通過率蓄積手段４６ａは、その排出検出スイッチ検出コマンドに基づいて特定領域通過率を蓄積するように構成すればよい。
【００８２】
振り分け率変更手段６２は、データ蓄積手段４６により蓄積された統計データ、即ち特定領域通過率に基づいて振り分け手段６１による振り分け率を変更するものである。
【００８３】
ここで、本実施形態の振り分け制御手段６３には、複数種類、例えば図１４に示す３種類の振り分け揺動パターンＰ１〜Ｐ３が設定されているものとする。
【００８４】
振り分け揺動パターンＰ１は、図１４（ａ）に示すように、振り分け爪６１ａをその中間位置（揺動角度０度の位置）で一時停止させつつ左右に揺動させるように設定されている。なお、振り分け制御手段６３は通常状態ではこの振り分け揺動パターンＰ１に基づいて振り分け手段６１を制御するものとする。
【００８５】
振り分け揺動パターンＰ２，Ｐ３は、特定通路２８ａ，２８ｂへの振り分け率が振り分け揺動パターンＰ１と異なるように設定されており、振り分け揺動パターンＰ２（図１４（ｂ））は、中間位置での一時停止時間が振り分け揺動パターンＰ１よりも長く設定され、振り分け揺動パターンＰ３（図１４（ｃ））は、中間位置で一時停止しないように設定されている。これにより、特定通路２８ａ，２８ｂへの振り分け率は、振り分け揺動パターンＰ２が振り分け揺動パターンＰ１よりも低く、振り分け揺動パターンＰ３が振り分け揺動パターンＰ１よりも高くなっている。
【００８６】
振り分け率変更手段６２は、データ蓄積手段４６に蓄積された特定領域通過率のデータに基づいて、その特定領域通過率が所定範囲を外れたときに、振り分け制御手段６３で用いている振り分け揺動パターンを通常の振り分け揺動パターンＰ１から振り分け揺動パターンＰ２又は振り分け揺動パターンＰ３に変更するようになっている。
【００８７】
例えば、特定領域通過率がＲ１ａを下回った場合に、振り分け揺動パターンＰ１よりも特定通路２８ａ，２８ｂへの振り分け率が高い振り分け揺動パターンＰ３に変更し、特定領域通過率がＲ１ｂを上回った場合に、振り分け揺動パターンＰ１よりも特定通路２８ａ，２８ｂへの振り分け率が低い振り分け揺動パターンＰ２に変更するようになっている。
【００８８】
以上のように、特定入球手段１４に入球した遊技球を１又は複数の特定領域２８ａ，２８ｂとそれ以外の普通領域２７との何れかに振り分ける振り分け手段６１と、特別利益状態の発生状況に関連する所定の統計データ、例えば特定領域通過率を蓄積するデータ蓄積手段４６と、このデータ蓄積手段４６により蓄積された統計データに基づいて振り分け手段６１による振り分け率を変更する振り分け率変更手段６２とを備えた構成とすることにより、個体差による機体間のバラツキ等を解消して遊技者の得られる利益を一定に保持できる利点がある。
【００８９】
以上、本発明の実施形態について詳述したが、本発明はこれらに限定されるものではなく、本発明の趣旨を逸脱しない範囲で種々の変更が可能である。例えば、特定入球口２２を開放するための始動条件は、通過ゲート、入賞手段等の始動手段１３による遊技球の検出の他、遊技図柄が変動後に特定態様で停止すること等、どのようなものでもよい。
【００９０】
継続回数報知手段は、実施形態で示した図柄表示やランプ等による視覚的報知の他、音声による聴覚的報知等を行うものでもよい。また、実施形態で示したように継続回数又はこれを示す情報を視覚的に報知する場合、必ずしも変動表示を行う必要はなく、変動を行うことなく確定表示を行ってもよい。また、継続回数表示手段２５は、特定入球手段１４とは別に設けてもよい。
【００９１】
継続回数報知手段による継続回数又はこれを示す情報の報知タイミングは、少なくとも遊技球が特定領域を通過する前であればよく、例えば所定の始動条件の成立と略同時に行ってもよい。
【００９２】
特別利益状態発生手段４４により発生させる特別利益状態は、特定入球手段１４とは別の大入賞手段１５を開放するものの他、特定入球手段１４の特定入球口２２を開放するものであってもよいし、開閉式入球手段の開放以外の利益状態でもよい。
【００９３】
実施形態で用いた継続回数選択テーブルは、各特定領域に対応する継続回数の組を２セット設けたものを例示したが、３セット以上設けてもよい。
【００９４】
また、選択率変更手段４７を設ける場合、切り替え可能な継続回数選択テーブルは２種類でもよいし、４種類以上設けてもよい。
【００９５】
振り分け率変更手段６２による振り分け率の変更方法は、予め設けられた複数種類の継続回数選択テーブルを切り替えるものの他、１つの継続回数選択テーブルの設定内容を一部変更するもの等、どのような方法を採用してもよい。
【００９６】
データ蓄積手段４６により蓄積された統計データに基づいて、振り分け率変更手段６２により振り分け手段６１による振り分け率を変更するように構成する場合の実施形態として、データ蓄積手段４６により蓄積する統計データを特定領域の通過率（特定領域通過率）とした第６の実施形態のみを示したが、第３〜第５の実施形態と同様の統計データを用いてもよい。
【００９７】
データ蓄積手段４６に蓄積される統計データは、例えば所定時間経過毎、電源投入時、発射操作の中断時間が所定時間を超えたとき等、所定条件が成立することに基づいてクリアされるように構成してもよいし、過去所定期間の統計データのみを蓄積し、それよりも古い統計データは順次排除するように構成してもよい。また、データ蓄積手段４６に蓄積されている情報を報知する報知手段を設けてもよい。
【００９８】
振り分け手段６１は、振り分け爪６１ａを揺動させる構成の他、遊技球保持部を有する回転体を用いたもの、特定領域及び／又は普通領域が移動するもの等、種々の構成を採用できる。
【００９９】
特定入球手段１４内に設ける特定領域の数は１つでもよい。例えば第１〜第４、第６の実施形態の場合には、特定領域が１つであっても２以上の場合と同様の効果を奏することが期待できる。
【０１００】
また本発明は、パチンコ機に限らず、アレンジボール機、雀球遊技機等、各種の弾球遊技機において同様に実施することが可能である。
【図面の簡単な説明】
【０１０１】
【図１】本発明の第１の実施形態を示すパチンコ機の全体正面図である。
【図２】本発明の第１の実施形態を示すパチンコ機の遊技盤の正面図である。
【図３】本発明の第１の実施形態を示すパチンコ機の特定入球手段の拡大図である。
【図４】本発明の第１の実施形態を示すパチンコ機の制御系のブロック図である。
【図５】本発明の第１の実施形態を示す継続回数選択テーブルの一例である。
【図６】本発明の第２の実施形態を示すパチンコ機の制御系のブロック図である。
【図７】本発明の第２の実施形態を示す継続回数選択テーブルの一例である。
【図８】本発明の第３の実施形態を示すパチンコ機の制御系のブロック図である。
【図９】本発明の第４の実施形態を示すパチンコ機の制御系のブロック図である。
【図１０】本発明の第５の実施形態を示すパチンコ機の制御系のブロック図である。
【図１１】本発明の第５の実施形態を示す継続回数選択テーブルの一例である。
【図１２】本発明の第６の実施形態を示すパチンコ機の特定入球手段の拡大図である。
【図１３】本発明の第６の実施形態を示すパチンコ機の制御系のブロック図である。
【図１４】本発明の第６の実施形態を示す振り分け揺動パターンの一例である。
【符号の説明】
【０１０２】
１３    始動手段
１４    特定入球手段
２２    特定入球口
２３    開閉手段
２５    継続回数表示手段（継続回数報知手段）
２７    普通通路（普通領域）
２８ａ  第１特定通路（特定領域）
２８ｂ  第２特定通路（特定領域）
４３    継続回数選択手段
４４    特別利益状態発生手段
４６    データ蓄積手段
４７    選択率変更手段
６１    振り分け手段
６２    振り分け率変更手段
【図１】
2006239125.tif 000003
【図２】
2006239125.tif 000004
【図３】
2006239125.tif 000005
【図４】
2006239125.tif 000006
【図５】
2006239125.tif 000007
【図６】
2006239125.tif 000008
【図７】
2006239125.tif 000009
【図８】
2006239125.tif 000010
【図９】
2006239125.tif 000011
【図１０】
2006239125.tif 000012
【図１１】
2006239125.tif 000013
【図１２】
2006239125.tif 000014
【図１３】
2006239125.tif 000015
【図１４】
2006239125.tif 000016